Podtech/llm-jp-corpus-v4-ja_patent huggingface dataset:
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
埋込可能な医療装置と関連付けられた治療システムであって、
前記埋込可能な医療装置によって治療を行うとき、少なくとも遠隔制御装置の利用に関する詳細を追跡して記憶する利用機能によって患者の関与を促すために、不揮発性メモリに記憶された機械可読指示を実行するプロセッサを備える治療マネージャ
を備える、治療システム。
【請求項２】
前記遠隔制御装置と選択的に通信する表示装置を備え、
前記表示装置は、グラフィカル・ユーザ・インターフェースを備え、前記治療マネージャの少なくとも複数の機能を表示する、請求項１に記載の治療システム。
【請求項３】
前記治療マネージャは、少なくとも前記利用機能に基づいて前記ユーザ・インターフェースによって少なくとも１つの治療目標を通信する目標機能を備え、
前記目標機能は、前記少なくとも１つの目標に重みを付ける重み要素を備え、前記重みの大きさは、患者が前記少なくとも１つの目標を順守している度合いに基づいている、
請求項２に記載の治療システム。
【請求項４】
前記目標機能は、前記少なくとも１つの目標に対して、正の強化通信及び改善促進通信の少なくとも１つを前記患者に通信するフィードバック要素を備える、請求項３に記載の治療システム。
【請求項５】
更に、前記埋込可能な医療装置を含む処理システムの一部を備え、
前記埋込可能な医療装置は、神経刺激によって閉塞性睡眠時無呼吸を治療するための埋込可能なパルス生成器を備える、請求項１に記載の治療システム。
【請求項６】
更に、前記遠隔制御装置を備え、
前記遠隔制御装置は、医師プログラマ及び患者制御装置の少なくとも一方を備える、請求項１に記載の治療システム。
【請求項７】
前記遠隔制御装置は、前記治療を開始する第１の入力部と、前記治療を終了する第２の入力部とを備え、
前記治療マネージャは、患者血液酸素データを追跡して記憶する血液酸素センサ機能を備える、請求項６に記載の治療システム。
【請求項８】
前記遠隔制御装置は、前記血液酸素データを前記血液酸素センサ機能に提供するために、前記遠隔制御装置に選択的に接続可能なパルス酸素濃度計を更に備えるシステムの一部を構成する、請求項７に記載の治療システム。
【請求項９】
前記遠隔制御装置は、
少なくとも１つの入力部と、
埋込型医療装置と無線通信する通信モジュールであって、前記少なくとも１つの入力部によって識別された少なくとも１つのコマンドを送信し、前記少なくとも１つのコマンドが受け入れられたとき、前記埋込型医療装置からの確認を受信する通信モジュールと、
を備え、
前記通信モジュールは、前記確認が受信されるまで前記少なくとも１つのコマンドを送信することを定期的に繰り返すリトライ機能を備え、前記リトライ機能は、前記少なくとも１つのコマンドに関する通知を生成するように構成されている、
請求項６に記載の治療システム。
【請求項１０】
前記治療マネージャは、少なくとも検知された患者の血液酸素データに基づいて、治療パラメータを変更するか、或いは、治療パラメータを変更する指示を提供するように構成されている、請求項１に記載の治療システム。
【請求項１１】
前記治療マネージャは、前記検知された患者の血液酸素データに基づいて酸素飽和度低下指数（ＯＤＩ）を計算するように構成されている、請求項１０に記載の治療システム。
【請求項１２】
前記治療マネージャは、前記酸素飽和度低下指数が閾値を超える場合、治療パラメータを変更するか、或いは、治療パラメータを変更する指示を提供するように構成されている、請求項１１に記載の治療システム。
【請求項１３】
前記治療マネージャは、前記酸素飽和度低下指数が閾値を下回る場合、治療パラメータを変更するか、或いは、治療パラメータを変更する指示を提供するように構成されている、請求項１１に記載の治療システム。
【請求項１４】
前記治療パラメータは、刺激の振幅、刺激パルス幅、刺激率、刺激デューティーサイクル、患者制御振幅制限、患者制御パルス幅制限、刺激制限、及び患者制御率制限の少なくとも１つを含む、請求項１０に記載の治療システム。
【請求項１５】
前記治療マネージャは、臨床医及び患者の少なくとも一方によるストレージ及びアクセスのために、前記患者血液酸素データ、前記治療パラメータ、又は前記治療パラメータの変更の少なくとも１つをクラウドリソースに通信するように構成されている、請求項１０に記載の治療システム。
【手続補正２】
【補正対象書類名】明細書
【補正対象項目名】００１７
【補正方法】変更
【補正の内容】
【００１７】
また、複数の実施例において、図３Ｃに示すように、患者遠隔制御装置２００の第１の面２０１は、少なくとも１つの出力部２２０を含む。複数の実施例において、出力部２２０は、患者制御装置２００の「オン」又は「オフ」の状態の表示を含む一方、複数の実施例において、出力部２２０は、他の機能の状態の表示を示す。一態様において、出力部２２０は、１つの要素又は複数の要素によって実行される。複数の実施例において、出力部２２０は、ＬＥＤ又は他の光源によって提供される光で実現される。複数の実施例において、出力部２２０は、第１、第２、又は第３の入力部２０２，２０４，２０６のいずれか１つと共配置される又は密接に隣接する。
【手続補正３】
【補正対象書類名】明細書
【補正対象項目名】００６２
【補正方法】変更
【補正の内容】
【００６２】
複数の実施例において、リトライ機能４０２は、（相対的なコマンドとは対照的に）絶対的なコマンドを送信し、特定のタイプのコマンド（例えば、治療強度増加コマンド）が各リトライ時に連続的に送信されないように構成されている。或いは、治療強度は、要求されるレベルの増加（但し、未だ安全制限に従う）をはるか超えて増加させてもよい。しかしながら、複数の実施例において、リトライ機能４０２は、複数回のリトライが、埋込可能な医療機器によって取られる根本的な動作を変えることなく、埋込可能な医療機器によって同じコマンドで単に複数回実行されるので、複数回のリトライ、或いは、単なる「オン」又は単なる「オフ」の送信を許容する。複数の実施例において、患者遠隔制御装置２５０は、少なくとも図６（Ａ）に関連して後述されるように、表示装置５４０と協働する患者遠隔制御装置２５０によって特定の数値レベルで治療強度（例えば、刺激強度）を設定するように構成されている。
【手続補正４】
【補正対象書類名】明細書
【補正対象項目名】００６３
【補正方法】変更
【補正の内容】
【００６３】
複数の実施例において、患者遠隔制御装置２５０は、治療強度の調整の相対的な範囲内でオプションによりスクロールするように第３の入力部２６６を患者が使用することを可能にし、一旦、患者が（例えば、図３Ｂ，３Ｄの表示部２０１を通じて）表示された所望のレベルを達成すると、患者は、埋込可能な医療機器の上で患者遠隔制御装置２５０を揺り動かす。一態様において、自動リトライ機能４０２は、選択された表示部２１０に表示された治療強度のレベルに対応する絶対的なレベルのコマンドを実行し、患者がオプションにより切り換え続けるように、目標レベルを変更する。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
熱処理された液体製品を提供するシステム（３０，４０，５０，６０，７０，８０）であって、
水分含有量が所望の液体製品よりも少ない濃縮液を含む第１供給部（１１，１１Ｂ）と、
水および／または砂糖液の第２供給部（１２）と、
前記第２供給部（１２）に連結され、前記水または砂糖液中の微生物の数を低減するために前記水または砂糖液を所定温度まで加熱するように構成された第１熱処理装置（１３，１３Ｂ）と、
前記第１供給部（１１）と前記熱処理装置（１３）とを連結し、加熱された水または砂糖液と前記濃縮液とを統合して液体製品を形成するように構成された少なくとも１つのコンバイナ（１５）と、を含み、
前記水または砂糖液の前記所定温度が、加熱された水および／または砂糖液の熱エネルギーによって前記液体製品の微生物の数を低減するように設定される、システム。
【請求項２】
前記システムが保持セル（１５，１４）をさらに含む、請求項１に記載のシステム。
【請求項３】
前記所定温度が９５から９８℃の範囲内である、請求項１に記載のシステム。
【請求項４】
前記コンバイナにおける熱処理の間の前記液体製品の統合温度が８５から８７℃の範囲内である、請求項１に記載のシステム。
【請求項５】
前記濃縮液と水または砂糖液との間の前記液体製品の統合比率が、１０から３０％の濃縮液および７０から９０％の水および／または砂糖液の範囲内である、請求項１に記載のシステム。
【請求項６】
砂糖液を含む第３供給部（１６）をさらに含み、前記第２供給部（１２）が水を含む、請求項１に記載のシステム。
【請求項７】
前記砂糖液を熱処理するために前記第３供給部（１６）に連結された第２熱処理装置（１３Ｂ）をさらに含み、加熱処理された砂糖液が前記コンバイナ（１５、１５１、１５２）に連結されている、請求項６に記載のシステム。
【請求項８】
統合された水および砂糖液を熱処理するために、任意でコンバイナ（１５１）を介して、砂糖液の前記第３供給部（１６）が前記第１熱処理装置（１３）に連結されている、請求項６に記載のシステム。
【請求項９】
前記コンバイナ（１５）に連結された少なくとも１つの追加の濃縮液供給部（１１Ｂ）をさらに含む、請求項１から８のいずれか一項に記載のシステム。
【請求項１０】
統合された水および砂糖液を熱処理するために、砂糖液の前記第３供給部（１６）が前記第１熱処理装置（１３）に接続されている、請求項６に記載のシステム。
【請求項１１】
熱処理された液体製品を受け取るように配置され、熱処理された液体製品から熱を抽出するように構成された熱交換器（１４）をさらに含み、水または砂糖液の熱処理に使用するために、抽出された熱が前記第１熱処理装置（１３）に戻される、請求項１から１０のいずれか一項に記載のシステム。
【請求項１２】
熱処理された液体製品を提供する方法（９０）であって、
水分含有量が前記液体製品よりも少ない濃縮液の流れを提供するステップ（９１）と、
前記濃縮液の流れとは分離されている水の流れを提供するステップ（９２）と、
前記水の流れを所定温度まで加熱するステップ（９３）と、
液体製品を形成するために前記濃縮液の流れと加熱された水の流れを統合するステップ（９４）と、
加熱された水の熱エネルギーによって前記液体製品の微生物の数を低減するステップ（９５）と、
を含む方法（９０）。
【請求項１３】
砂糖液の流れを提供するステップ（９２Ａ）と、
前記砂糖液の流れを熱処理するステップと、
を含み、
前記濃縮液の流れと前記水の流れを統合するステップが前記砂糖液の流れと統合するステップをさらに含む、請求項１２に記載の方法（９０）。
【請求項１４】
前記水の流れを熱処理するステップおよび／または前記砂糖液の流れを熱処理するステップを、熱交換器による加熱または蒸気噴射によって実施する、請求項１２または１３に記載の方法（９０）。
【請求項１５】
プロセッサによって処理するコンピュータプログラムが統合されたコンピュータ可読媒体（１００）であって、前記コンピュータプログラムが、コンピュータ処理性能を有する装置によって実行されると、請求項１２から１４のいずれか一項に記載の方法の全てのステップを実施するように構成されたコードセグメントを含む、コンピュータ可読媒体（１００）。
【請求項１６】
請求項１２から１４のいずれか一項に記載の方法によって製造された液体製品。
【請求項１７】
濃縮液を受け取る第１入口と、
所定温度に加熱された水および／または砂糖液を受け取る第２入口と、
前記濃縮液と加熱された水および／または砂糖液を液体製品へと統合する統合チャンバと、
熱処理された液体製品を排出する出口と、
を備え、
前記水または砂糖液の前記所定温度が、加熱された水および／または砂糖液の熱エネルギーを使用して前記液体製品の微生物の数を少なくとも低減することができるように設定されている、コンバイナ（１５）。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
医療イメージング及び情報表示のためのシステムであって、
複数の異なるイメージングモードの各モードにおいて対象のイメージング面若しくはイメージングボリュームにおける複数の点の各点のイメージングデータを取得するための医療イメージング装置と、
処理装置であって、
前記イメージング面若しくはイメージングボリュームにおける前記複数の点の前記各点について、前記複数の異なるイメージングモードの前記各モードにおける前記点のイメージングデータと、前記複数の異なるイメージングモードの前記各モードにおける前記点に隣接する前記複数の点のうち少なくとも一つの他の点のイメージングデータとを既定モデルに適用することによって、値を導出するための導出ユニットであって、前記既定モデルは前記対象に関する臨床医療アプリケーションに従って選択される、導出ユニットと、
前記導出された値全てに基づいて画像を構成するための構成ユニットと
を有する処理装置と、
前記構成された画像をユーザに表示するための表示装置と
を有するシステム。
【請求項２】
前記少なくとも一つの他の点の各々と前記点との間の距離が既定値を超えない、請求項１に記載のシステム。
【請求項３】
前記医療イメージング装置が超音波イメージング装置である、請求項１に記載のシステム。
【請求項４】
前記異なるモードにおける前記イメージングデータが同時に取得され、前記イメージングデータの点レベルの対応が前記異なるイメージングモード間で確立されるように、前記超音波イメージング装置のための送信信号シーケンスが送信信号の時系列、信号エネルギー、及びビーム形成パターンに従って設計される、請求項３に記載のシステム。
【請求項５】
前記複数の異なるイメージングモードが全部で五つのモードを有し、
前記送信信号シーケンスが、第二の典型的な超音波面送信の位相が反転される、二つの高エネルギー及び高集束超音波面送信で補間される三つの典型的な超音波面送信を有する、請求項４に記載のシステム。
【請求項６】
前記構成ユニットが、前記画像中の各点が前記イメージング面における対応する点の値に従って異なる輝度若しくは色を持つように前記画像を構成する、請求項１に記載のシステム。
【請求項７】
前記既定モデルが機械学習ベースモデルである、請求項１から６のいずれか一項に記載のシステム。
【請求項８】
前記既定モデルが臨床判断支援モデルである、請求項１から６のいずれか一項に記載のシステム。
【請求項９】
医療イメージングと情報表示の方法であって、
医療イメージング装置の複数の異なるイメージングモードの各モードにおいて対象のイメージング面若しくはイメージングボリュームにおける複数の点の各点のイメージングデータを取得するステップと、
前記イメージング面若しくはイメージングボリュームにおける前記複数の点の前記各点について、前記複数の異なるイメージングモードの前記各モードにおける前記点のイメージングデータと、前記複数の異なるイメージングモードの前記各モードにおける前記点に隣接する前記イメージング面若しくはイメージングボリュームにおける前記複数の点のうち少なくとも一つの他の点のイメージングデータとを既定モデルに適用することによって、値を導出するステップであって、前記既定モデルが前記対象に関する臨床医療アプリケーションに従って選択される、ステップと、
前記導出された値全てに基づいて画像を構成するステップと、
前記構成された画像をユーザに表示するステップと
を有する方法。
【請求項１０】
前記少なくとも一つの他の点の各々と前記点との間の距離が既定値を超えない、請求項９に記載の方法。
【請求項１１】
前記医療イメージング装置が超音波イメージング装置である、請求項９に記載の方法。
【請求項１２】
前記異なるイメージングモードにおける前記イメージングデータが同時に取得され、前記イメージングデータの点レベルの対応が前記異なるイメージングモード間で確立されるように、前記超音波イメージング装置のための送信信号シーケンスが送信信号の時系列、信号エネルギー、及びビーム形成パターンに従って設計される、請求項１１に記載の方法。
【請求項１３】
前記導出された値全てに基づいて画像を構成するステップが、
前記画像中の各点が前記イメージング面における対応する点の値に従って異なる輝度若しくは色を持つように画像を構成するステップを有する、請求項９に記載の方法。
【請求項１４】
前記既定モデルが機械学習ベースモデルである、請求項９から１３のいずれか一項に記載の方法。
【請求項１５】
実行されるときに、請求項１に記載のシステムが請求項９から１４のいずれか一項に記載の方法を実行することを可能にする命令のセットを有するコンピュータプログラム製品。
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
内部及び外部を持つ筺体であって、前記筺体の内部が、流体継ぎ手部材を通じて空気流路を規定する前記筺体と、
前記筺体の前記内部に旋回可能に取り付けられたバルブ部材と、
前記バルブ部材上に形成された少なくとも１つの突起部と、
を有し、
前記少なくとも１つの突起部は、前記バルブ部材が、前記筺体に対して、下向きの折り畳み位置に陥って動かなくなることを防止する、並びに前記少なくとも１つの突起部は、柱、リッジ及びウェッジの少なくとも１つを含む、流体継ぎ手部材。
【請求項２】
前記少なくとも１つの突起部が、前記バルブ部材の底側に形成された少なくとも１つの柱を含む、請求項１記載の流体継ぎ手部材。
【請求項３】
前記柱は、それぞれ、１ｍｍ以上の長さを持つ、請求項２記載の流体継ぎ手部材。
【請求項４】
前記柱の各長さに対する前記流体継ぎ手部材を通じた前記空気流路の直径の比が、約５．５〜約９．５の範囲内にある、請求項２記載の流体継ぎ手部材。
【請求項５】
前記少なくとも１つの突起部が、前記バルブ部材の底側に形成された少なくとも１つのリッジを含む、請求項１記載の流体継ぎ手部材。
【請求項６】
前記少なくとも１つのリッジが、交差している一組のリッジである、請求項５記載の流体継ぎ手部材。
【請求項７】
前記少なくとも１つの突起部が、前記バルブ部材の上側に形成された少なくとも１つのリッジを含む、請求項１記載の流体継ぎ手部材。
【請求項８】
前記少なくとも１つのリッジが、前記バルブ部材の左側から右側へ通過するリッジを含む、請求項７記載の流体継ぎ手部材。
【請求項９】
前記少なくとも１つの突起部が、前記バルブ部材の底側に形成されるとともに、前記バルブ部材が、前記下向きの折り畳み位置へ移動することを防止する、請求項１記載の流体継ぎ手部材。
【請求項１０】
前記少なくとも１つの突起部が、前記バルブ部材の底側に形成されたウェッジを含む、請求項９記載の流体継ぎ手部材。
【請求項１１】
内部及び外部を持つ筐体であって、前記筐体の内部が、流体継ぎ手部材を通じて空気流路を規定する前記筐体と、
前記筐体の前記内部に旋回可能に取り付けられたバルブ部材と、
前記筐体上に形成された少なくとも１つの突起部と、
を有し、
前記少なくとも１つの突起部は、バルブ部材が、前記筺体に対して、下向きの折り畳み位置に陥って動かなくなることを防止する、及び前記少なくとも１つの突起部は、前記バルブ部材が、下向きに折り畳まれた場合に、前記バルブ部材に対して隣接する、流体継ぎ手部材。
【請求項１２】
前記流体継ぎ手部材が、エルボーコネクタである、請求項１記載の流体継ぎ手部材。
【請求項１３】
請求項１記載の流体継ぎ手部材を用いた、患者インタフェース装置。
【請求項１４】
前記少なくとも１つの突起部は、少なくとも１つの柱を含む、請求項１１に記載の流体継ぎ手部材。
【請求項１５】
前記少なくとも１つの柱は、複数の柱である、請求項１４に記載の流体継ぎ手部材。
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
アビラテロン酢酸エステル又はその医薬として許容し得る塩の製造方法の改良であって、該方法が、塩基及び溶媒の存在下でデヒドロエピアンドロステロン-3-アセテート（DHEAA）をトリフレート化して粗製3-β-アセトキシアンドロスタ-5,16-ジエン-17-イルトリフルオロメタンスルホネートを形成する第一の工程、及び該粗製3-β-アセトキシアンドロスタ-5,16-ジエン-17-イルトリフルオロメタンスルホネートをアビラテロン酢酸エステル又はその塩に変換する第二の工程を含み、該改良が、溶媒からの結晶化により、該粗製3-β-アセトキシアンドロスタ-5,16-ジエン-17-イルトリフルオロメタンスルホネートを精製し、アセトキシアンドロスタ-5,16-ジエン-17-イルトリフルオロメタンスルホネートを結晶性固体として得る中間工程を含む、前記改良。
【手続補正書】
【提出日】平成29年8月30日(2017.8.30)
【手続補正１】
【補正対象書類名】特許請求の範囲
【補正対象項目名】全文
【補正方法】変更
【補正の内容】
【特許請求の範囲】
【請求項１】
メデトミジンを含む表面コーティング組成物であって、レボメデトミジン、又はその塩若しくは溶媒和化合物が、２種のエナンチオマー形態の混合物の少なくとも５０％を占める、上記組成物。
【請求項２】
前記表面コーティング組成物が、船舶に使用するための塗料である、請求項１に記載の表面コーティング組成物。
【請求項３】
前記レボメデトミジンが、スルホナートで修飾されたポリマー骨格、酸性硫酸エステルで修飾されたポリマー骨格、ホスホン酸で修飾されたポリマー骨格、カルボン酸で修飾されたポリマー骨格又は酸性リン酸エステルで修飾されたポリマー骨格に結合する、請求項１又は２に記載の表面コーティング組成物。
【請求項４】
前記ポリマー骨格が、ポリスチレン及びアクリラートポリマーからなる群から選択される、請求項３に記載の表面コーティング組成物。
【請求項５】
前記組成物が、前記レボメデトミジンの抑制された放出を提供する、請求項１から４のうちいずれか一項に記載の表面コーティング組成物。
【請求項６】
前記レボメデトミジンが、ナノ粒子に吸収される、請求項５に記載の表面コーティング組成物。
【請求項７】
前記ナノ粒子が、銅、亜鉛、チタン、アルミニウム、ケイ素、及びマグネシウムの酸化物からなる群から選択される、請求項６に記載の表面コーティング組成物。
【請求項８】
前記ナノ粒子が、１０〜５０ｍ２／ｇの比表面積を有する、請求項６又は７に記載の表面コーティング組成物。
【請求項９】
少なくとも１種の更なる防汚剤を更に含む、請求項１から８のうちいずれか一項に記載の表面コーティング組成物。
【請求項１０】
前記更なる防汚剤が、除藻剤、殺菌剤、除草剤及び一般の殺生物剤からなる群から選択される、請求項９に記載の表面コーティング組成物。
【請求項１１】
更なる防汚剤が、クロロタロニル、ジクロフルアニド、４，５−ジクロロ−２−ｎ−オクチル−３（２Ｈ）−イソチアゾロン（ＳｅａＮｉｎｅ（登録商標））、２−メチルチオ−４−ｔｅｒｔ−ブチルアミノ−６−シクロプロピルアミノ−ｓ−トリジアン（Ｉｒｇａｒｏｌ（登録商標））、３−（３，４−ジクロロフェニル）−１，１−ジメチル尿素（Ｄｉｕｒｏｎ（登録商標））、トリルフルアニド、亜鉛ピリチオン、銅ピリチオン、ジクロフルアニド、亜鉛エチレンビスジチオカルバマート（Ｚｉｎｅｂ（登録商標））、亜鉛ビス（ジメチルチオカルバマート）（Ｚｉｎｒａｍ（登録商標））、マンガンエチレンビスジチオカルバマート（Ｍａｎｅｂ（登録商標））、第四級アンモニウム化合物、２−（ｐ−クロロフェニル）−３−シアノ−４−ブロモ−５−トリフルオロメチル（ＥｃｏＮｅａ（登録商標））からなる群から選択される、請求項９又は１０に記載の表面コーティング組成物。
【請求項１２】
請求項１から１１のうちいずれか一項に記載の組成物でコーティングされた表面。
【請求項１３】
前記表面が、海洋環境への浸漬を意図された表面である、請求項１２に記載の表面。
【請求項１４】
前記表面が、船体、又は海水パイプである、請求項１３に記載の表面。
【請求項１５】
２種のエナンチオマー形態の混合物の組成物からなるメデトミジンの使用であって、海洋防汚剤としての、レボメデトミジン、又はその塩若しくは溶媒和化合物が、該混合物の少なくとも５０％を占める、上記使用。
【請求項１６】
表面へのキプリス幼生の定着を阻害するための、請求項１５に記載の使用。
【請求項１７】
少なくとも１種の更なる海洋防汚剤との組合せにおける、請求項１５又は１６に記載の使用。
【請求項１８】
前記更なる防汚剤が、除藻剤、殺菌剤、除草剤及び一般の殺生物剤からなる群から選択される、請求項１７に記載の使用。
【請求項１９】
前記更なる防汚剤が、クロロタロニル、ジクロフルアニド、４，５−ジクロロ−２−ｎ−オクチル−３（２Ｈ）−イソチアゾロン（ＳｅａＮｉｎｅ（登録商標））、２−メチルチオ−４−ｔｅｒｔ−ブチルアミノ−６−シクロプロピルアミノ−ｓ−トリジアン（ｔｒｉｚｉａｎｅ）（Ｉｒｇａｒｏｌ（登録商標））、３−（３，４−ジクロロフェニル）−１，１−ジメチル尿素（Ｄｉｕｒｏｎ（登録商標））、トリルフルアニド、亜鉛ピリチオン、銅ピリチオン、ジクロフルアニド、亜鉛エチレンビスジチオカルバマート（Ｚｉｎｅｂ（登録商標））、亜鉛ビス（ジメチルチオカルバマート）（Ｚｉｎｒａｍ（登録商標））、マンガンエチレンビスジチオカルバマート（Ｍａｎｅｂ（登録商標））、第四級アンモニウム化合物、２−（ｐ−クロロフェニル）−３−シアノ−４−ブロモ−５−トリフルオロメチル（ＥｃｏＮｅａ（登録商標））からなる群から選択される、請求項１７又は１８に記載の使用。
【請求項２０】
２種のエナンチオマー形態の混合物の組成物からなるメデトミジンを、表面に塗布することを含む、該表面の海洋生物付着を防止する方法であって、レボメデトミジン、又はその塩若しくは溶媒和化合物が、該混合物の少なくとも５０％を占める、上記方法。
【請求項２１】
前記表面へのキプリス幼生の定着を阻害するための、請求項２０に記載の方法。
【請求項２２】
少なくとも１種の更なる海洋防汚剤を、前記表面に塗布することを更に含む、請求項２０又は２１に記載の方法。
【請求項２３】
前記更なる防汚剤が、除藻剤、殺菌剤、除草剤及び一般の殺生物剤からなる群から選択される、請求項２２に記載の方法。
【請求項２４】
前記更なる防汚剤が、クロロタロニル、ジクロフルアニド、４，５−ジクロロ−２−ｎ−オクチル−３（２Ｈ）−イソチアゾロン（ＳｅａＮｉｎｅ（登録商標））、２−メチルチオ−４−ｔｅｒｔ−ブチルアミノ−６−シクロプロピルアミノ−ｓ−トリジアン（Ｉｒｇａｒｏｌ（登録商標））、３−（３，４−ジクロロフェニル）−１，１−ジメチル尿素（Ｄｉｕｒｏｎ（登録商標））、トリルフルアニド、亜鉛ピリチオン、銅ピリチオン、ジクロフルアニド、亜鉛エチレンビスジチオカルバマート（Ｚｉｎｅｂ（登録商標））、亜鉛ビス（ジメチルチオカルバマート）（Ｚｉｎｒａｍ（登録商標））、マンガンエチレンビスジチオカルバマート（Ｍａｎｅｂ（登録商標））、第四級アンモニウム化合物、２−（ｐ−クロロフェニル）−３−シアノ−４−ブロモ−５−トリフルオロメチル（ＥｃｏＮｅａ（登録商標））からなる群から選択される、請求項２２又は２３に記載の表面の生物付着を防止する方法におけるレボメデトミジンの使用。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
経口用の医薬組成物であって、以下の活性成分：
（ａ）（ｉ）ドキシラミン及び（ｉｉ）その医薬的に許容される塩の１つまたは複数を約５〜約４０ｍｇと、
（ｂ）（ｉ）式ＩＩのピリドキシン化合物
【化１】
2016527237.tif 000001
（式中、
Ｒ１は、ヒドロキシル基またはホスフェート基であり、
Ｒ２は、ＣＨ２ＯＨ、ＣＨＯまたはＣＨ２ＮＨ２である）
（ｉｉ）（ｉ）の医薬的に許容されるエステル及び（ｉｉｉ）（ｉ）〜（ｉｉ）のいずれかの医薬的に許容される塩の１つまたは複数を約５〜約８０ｍｇと、
（ｃ）（Ｉ）リボフラビン、（ＩＩ）リボフラビン−５−リン酸、（ＩＩＩ）フラビンアデニンジヌクレオチド及び（ＩＶ）（Ｉ）〜（ＩＩＩ）のいずれかの医薬的に許容される塩の１つまたは複数を約２０〜約１００ｍｇとを含む、組成物。
【請求項２】
リボフラビンまたはその医薬的に許容される塩を含む、請求項１に記載の組成物。
【請求項３】
リボフラビン−５−リン酸またはその医薬的に許容される塩を含む、請求項１に記載の組成物。
【請求項４】
ドキシラミン及び／またはその医薬的に許容される塩を約５〜約３０ｍｇ含む、請求項１〜３のいずれ一項に記載の組成物。
【請求項５】
ドキシラミン及び／またはその医薬的に許容される塩を約２０ｍｇ含む、請求項４に記載の組成物。
【請求項６】
コハク酸ドキシラミンを含む、請求項１〜５のいずれか一項に記載の組成物。
【請求項７】
前記（ｉ）ピリドキシン化合物、（ｉｉ）その医薬的に許容されるエステル、及び／または（ｉｉｉ）（ｉ）〜（ｉｉ）のいずれかの医薬的に許容される塩を約５〜約３０ｍｇ含む、請求項１〜６のいずれか一項に記載の組成物。
【請求項８】
前記（ｉ）ピリドキシン化合物、（ｉｉ）その医薬的に許容されるエステル、及び／または（ｉｉｉ）（ｉ）〜（ｉｉ）のいずれかの医薬的に許容される塩を約２０ｍｇ含む、請求項７に記載の組成物。
【請求項９】
塩酸ピリドキシンを含む、請求項１〜８のいずれか一項に記載の組成物。
【請求項１０】
（Ｉ）リボフラビン、（ＩＩ）リボフラビン−５−リン酸、（ＩＩＩ）フラビンアデニンジヌクレオチド及び／または（ＩＶ）（Ｉ）〜（ＩＩＩ）のいずれかの医薬的に許容される塩を約２０〜約６０ｍｇ含む、請求項１〜９のいずれか一項に記載の組成物。
【請求項１１】
（Ｉ）リボフラビン、（ＩＩ）リボフラビン−５−リン酸、（ＩＩＩ）フラビンアデニンジヌクレオチド及び／または（ＩＶ）（Ｉ）〜（ＩＩＩ）のいずれかの医薬的に許容される塩を約２０〜約５０ｍｇ含む、請求項１０に記載の組成物。
【請求項１２】
（Ｉ）リボフラビン、（ＩＩ）リボフラビン−５−リン酸、（ＩＩＩ）フラビンアデニンジヌクレオチド及び／または（ＩＶ）（Ｉ）〜（ＩＩＩ）のいずれかの医薬的に許容される塩を約４０ｍｇ含む、請求項１１に記載の組成物。
【請求項１３】
（ｉ）活性成分（ａ）、（ｂ）及び（ｃ）の少なくとも１つを含む遅放性組成物を含むコア；（ｉｉ）コアを取り囲む腸溶性コーティング；並びに（ｉｉｉ）活性成分（ａ）、（ｂ）及び（ｃ）の少なくとも１つを含む即放性組成物を含む１つまたは複数のコートを含む二重放出製剤である、請求項１〜１２のいずれか一項に記載の組成物。
【請求項１４】
前記即放性組成物が、活性成分（ａ）と（ｂ）を含む、請求項１３に記載の組成物。
【請求項１５】
前記遅放性組成物が、（ａ）、（ｂ）及び（ｃ）を含む、請求項１３または１４に記載の組成物。
【請求項１６】
少なくとも１つの医薬的に許容される賦形剤をさらに含む、請求項１〜１５のいずれか一項に記載の組成物。
【請求項１７】
錠剤または丸薬の形態である、請求項１〜１６のいずれか一項に記載の組成物。
【請求項１８】
請求項１〜１７のいずれか一項に記載の組成物を含む、ヒト被検体における悪心及び嘔吐の症状を軽減するための医薬。
【請求項１９】
請求項１〜１７のいずれか一項に記載の組成物を含む、ヒト妊娠時の悪心及び嘔吐（ＮＶＰ）の症状を軽減するための医薬。
【請求項２０】
（Ｉ）リボフラビン、（ＩＩ）リボフラビン−５−リン酸、（ＩＩＩ）フラビンアデニンジヌクレオチド及び／または（ＩＶ）（Ｉ）〜（ＩＩＩ）のいずれかの医薬的に許容される塩から選択されるリボフラビン化合物を２０ｍｇ〜１００ｍｇの量で含む、ピリドキシンまたはその医薬的に許容される塩で処置された被検体の血漿中のピリドキサール５−リン酸（ＰＬＰ）のバイオアベイラビリティを向上するための医薬。
【請求項２１】
前記リボフラビン化合物が、３０ｍｇ〜５０ｍｇの量で含まれる、請求項２０に記載の医薬。
【請求項２２】
前記被検体が、塩酸ピリドキシンで処置されている、請求項２０または２１に記載の医薬。
【請求項２３】
前記ピリドキシンまたはその医薬的に許容される塩と、前記リボフラビン化合物またはその医薬的に許容される塩とが、同じ医薬中に存在する、請求項２０〜２２のいずれか一項に記載の医薬。
【請求項２４】
更に、コハク酸ドキシラミンを含む、請求項２３に記載の医薬。
【請求項２５】
前記コハク酸ドキシラミンが、医薬中に、１０ｍｇ〜３０ｍｇの量で存在する、請求項２４に記載の医薬。
【請求項２６】
錠剤または丸薬の形態である、請求項２３〜２５のいずれか一項に記載の医薬。
【請求項２７】
前記被検体が、ヒト妊娠時の悪心及び嘔吐（ＮＶＰ）の症状を有する妊娠した女性である、請求項２０〜２６のいずれか一項に記載の医薬。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
縮合ポリマーの形成を抑制しつつ、処理容器内に処理液を均一に散布するための方法であって、
ａ．  断面積を有する処理容器内に設置され、液体散布ヘッドを含む、少なくとも１つの汚染防止液散布器に、処理液を提供する段階；
ｂ．  汚染防止液散布器の回転運動を引き起こす段階；および
ｃ．  処理容器内の断面積にわたって処理液を均一に散布する段階；
の少なくとも１つを含み、さらに
段階（ｃ）の間に、処理液の一部で、少なくとも一つの汚染防止液散布器が、同時に自己すすぎされ、および
段階（ｃ）の間に、処理液を複数の汚染防止液散布器に提供し、ここで、段階（ｃ）の間に、処理液の一部で、汚染防止液散布器のそれぞれが、同時に相互にすすがれる、前記方法。
【請求項２】
少なくとも１つの汚染防止液散布器が
ａ．固定導管、および
ｂ．前記導管に取り付けた、動力流体を動力源とする液体散布ヘッド
を含み、
固定導管および液体散布ヘッドの少なくとも１つが、少なくとも１つの処理液体吐出口を含む請求項１に記載の方法。
【請求項３】
段階（ｂ）における回転運動が、動力流体および処理液の少なくとも１つを液体散布ヘッドに供給することによって達成される、請求項１または２に記載の方法。
【請求項４】
処理液の一部で、処理容器内の処理対向面を付随的に濡らすことをさらに含む、請求項１から３のいずれか一項に記載の方法。
【請求項５】
処理容器内部の処理対向面の付随的湿潤に起因する湿潤液速度が、０．５ｍ３／ｍ２−時間未満である、請求項４に記載の方法。
【請求項６】
処理容器が、（メタ）アクリル系モノマーの処理容器である、請求項１から５のいずれか一項に記載の方法。
【請求項７】
アクロレイン、アクリル酸、メチルアクリレート、エチルアクリレート、ブチルアクリレート、２−エチルヘキシルアクリレート、２−オクチルアクリレート、２−（ジメチルアミノ）エチルアクリレート、メタクロレイン、メタクリル酸、メチルメタクリレート、エチルメタクリレート、ブチルメタクリレート、および２−（ジメチルアミノ）エチルメタクリレートからなる群から選択される１つ以上の化合物を製造する方法に、前記（メタ）アクリルモノマー処理容器が使用される、請求項６に記載の方法。
【請求項８】
処理容器が、急冷容器、吸収塔、接触型凝縮器、分留凝縮器、脱水塔、仕上げ塔、スクラバー、蒸留塔、および貯蔵タンクからなる群から選択される気−液接触容器である、請求項１から７のいずれか一項に記載の方法。
【請求項９】
処理容器が、急冷部、吸収部、部分凝縮部、洗浄部、充填部、接触凝縮部、トレー部、ストリッピング部、および精留部からなる群から選択される２つ以上の連続した処理部を含む、統合された処理容器である、請求項１から７のいずれか一項に記載の方法。
【請求項１０】
処理容器が、トレー、トレー支持体、構造化パッキング、不規則パッキング、供給物散布器、デミスタパッド、固定スプレーノズル、バッフル、液体散布トラフ、およびサイドドロー回収トレーからなる群から選択される１つ以上の内部構成要素を含む、請求項１から９のいずれか一項に記載の方法。
【請求項１１】
処理液が、１つ以上の重合防止剤を含む、請求項１から１０のいずれか一項に記載の方法。
【請求項１２】
ａ．処理液の供給部
ｂ．固定導管、および
ｃ．前記導管に取り付けられた液体散布ヘッド、ここで、前記液体散布ヘッドは、可動式であり、流体を動力源とし、および、少なくとも１つの処理液吐出口を含み、
を含む処理容器内に処理液を均一に散布するためのシステムであって、
前記少なくとも１つの処理液吐出口は、液体散布ヘッドの稼働時に、＋１０°以上の、処理液の液体適用範囲角度を提供するように構成される、前記システム。
【請求項１３】
請求項１２に記載のシステムを含む、処理容器。
【請求項１４】
（メタ）アクリルモノマーを製造するための、請求項１３の処理容器の使用。
【請求項１５】
（メタ）アクリルモノマーが、アクロレイン、アクリル酸、メチルアクリレート、エチルアクリレート、ブチルアクリレート、２−エチルヘキシルアクリレート、２−オクチルアクリレート、２−（ジメチルアミノ）エチルアクリレート、メタクロレイン、メタクリル酸、メチルメタクリレート、エチルメタクリレート、ブチルメタクリレート、および２−（ジメチルアミノ）エチルメタクリレートからなる群から選択される、請求項１４の処理容器の使用。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
口腔内の歯の表面または表面下の石灰化のための組み合わせであって、石灰化剤を含有する第１組成物と、溶液のｐＨの上昇または維持が可能な化合物を含有する第２組成物とを含む、組み合わせ。
【請求項２】
前記歯の表面が、齲蝕、歯牙酸蝕症、またはフッ素症によって生じるエナメル質中の病変である、請求項１に記載の組み合わせ。
【請求項３】
前記石灰化剤が、安定化非晶質リン酸カルシウム（ＡＣＰ）および／または非晶質フッ化リン酸カルシウム（ＡＣＦＰ）である、請求項１または２に記載の組み合わせ。
【請求項４】
前記安定化非晶質リン酸カルシウム（ＡＣＰ）および／または非晶質フッ化リン酸カルシウム（ＡＣＦＰ）が、練り歯磨き、歯磨き粉、液体歯磨き、マウスウォッシュ、マウスリンス、マウススプレー、バーニッシュ、歯科用セメント、トローチ、チューインガム、ロゼンジ、歯科用軟膏、歯肉マッサージクリーム、うがい用錠剤、乳製品、およびその他の食品の形態である、請求項３に記載の組み合わせ。
【請求項５】
前記第２組成物と前記第１組成物とが、同時に前記歯の表面または表面下に接触する、請求項１〜４のいずれか一項に記載の組み合わせ。
【請求項６】
前記第１組成物の後に、前記第２組成物が前記歯の表面または表面下に接触する、請求項１〜４のいずれか一項に記載の組み合わせ。
【請求項７】
溶液のｐＨの上昇または維持が可能な前記化合物が水酸化物イオンを生成可能である、請求項１〜６のいずれか一項に記載の組み合わせ。
【請求項８】
前記化合物が溶液のｐＨを７〜９の間、好ましくは約７．５に維持可能である、請求項１〜７のいずれか一項に記載の組み合わせ。
【請求項９】
前記化合物が、歯の病変の病変内液のｐＨを６から７．５に上昇させるのに有効な量で供給される、請求項１〜７のいずれか一項に記載の組み合わせ。
【請求項１０】
第１組成物の製造における石灰化剤の使用、及び
第２組成物の製造における、溶液のｐＨの上昇または維持に有効なある量の塩基の使用であって、
前記第１組成物及び前記第２組成物が口腔内の歯の表面または表面下の石灰化に使用するための組成物である、使用。
【請求項１１】
前記溶液が表面下病変中に含まれる、請求項１０に記載の使用。
【請求項１２】
溶液のｐＨの上昇または維持が可能な前記化合物が、重炭酸ナトリウム、次亜塩素酸ナトリウム、または尿素である、請求項１〜９のいずれか一項に記載の組み合わせ。
【請求項１３】
前記重炭酸ナトリウムがマウスリンスまたはマウスウォッシュの形態で提供される、請求項１２に記載の組み合わせ。
【請求項１４】
前記表面下の歯の表面が、家畜、コンパニオンアニマル、または動物園の動物のものである、請求項１〜９のいずれか一項に記載の組み合わせ。
【請求項１５】
前記コンパニオンアニマルがネコまたはイヌである、請求項１４に記載の組み合わせ。
【請求項１６】
前記家畜が、ウシ、ヒツジ、ウマ、および家禽からなる群から選択される、請求項１４に記載の組み合わせ。
【請求項１７】
前記塩基が、重炭酸ナトリウム、次亜塩素酸ナトリウム、ハイポフルオライト、または尿素である、請求項１０または１１に記載の使用。
【請求項１８】
前記石灰化剤が、安定化非晶質リン酸カルシウム（ＡＣＰ）および／または非晶質フッ化リン酸カルシウム（ＡＣＦＰ）である、請求項１０、１１、または１７のいずれか一項に記載の使用。
【請求項１９】
練り歯磨き、歯磨き粉、液体歯磨き、マウスウォッシュ、マウスリンス、マウススプレー、バーニッシュ、歯科用セメント、トローチ、チューインガム、ロゼンジ、歯科用軟膏、歯肉マッサージクリーム、うがい用錠剤、乳製品、およびその他の食品からなる群から選択される、請求項１０、１１、１７、または１８のいずれか一項に記載の使用。
【請求項２０】
家畜、コンパニオンアニマル、または動物園の動物に使用するための、請求項１０、１１または１７〜１９のいずれか一項に記載の使用。
【請求項２１】
前記コンパニオンアニマルがネコまたはイヌである、請求項２０に記載の使用。
【請求項２２】
前記家畜がウシ、ヒツジ、ウマ、および家禽からなる群から選択される、請求項２０に記載の使用。
【請求項２３】
齲蝕、フッ素症、および歯牙酸蝕症の１つ以上の処置または予防のためのキットであって、（ａ）溶液のｐＨの上昇または維持が可能な化合物と、（ｂ）薬学的に許容される担体中のＣＰＰ−ＡＣＰまたはＣＰＰ−ＡＣＦＰ複合体とを含む、キット。
【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
NS5A標的化化合物およびNS5A相乗化剤を含む組み合わせであって、投与されると該NS5A標的化化合物のみに対して抵抗性を与える変異を含む変異体に対する相乗的抗HCV活性をもたらすものであり、該NS5A相乗化剤は、式(I):
【化１】
2016527232.tif 000001
[式中、AおよびBは、
【化２】
2016527232.tif 000002
から独立して選択され;
R1は、アルコキシ、アルキル、ハロアルキルおよびヒドロキシから選択され;
R2は水素であるか；または
R1およびR2は、それらが結合している炭素原子と一緒になって、ジオキソラニル環を形成しており、該ジオキソラニル環は、所望により1または2つのメチル基で置換されていてもよい；
R1'は、アルコキシ、アルキル、ハロアルキルおよびヒドロキシから選択され;
R2'は水素であるか；または
R1'およびR2'は、それらが結合している炭素原子と一緒になって、ジオキソラニル環を形成しており、該ジオキソラニル環は、所望により2つのメチル基で置換されていてもよい；
R3およびR3'は、アルコキシ、ヒドロキシおよび-NRaRbから独立して選択され；
RaおよびRbは、水素、アルコキシカルボニルアルキル、アルキル、ポリシクロアルキル、(ポリシクロアルキル)アルキル、シクロアルキル、(シクロアルキル)アルキル、ヒドロキシアルキル、-NRcRd、(NRcRd)アルキル、(NRcRd)カルボニルアルキル、フェニルアルキルおよびピラニルから独立して選択され、ここで該シクロアルキル、該(シクロアルキル)アルキルのシクロアルキル部分および該フェニルアルキルのフェニル部分は、所望により、アルコキシ、アルコキシアルキル、アミノカルボニル、シアノ、ハロ、ヒドロキシおよびフェニルから独立して選択される1または2つの基で置換されていてもよく;該(NRcRd)アルキルのアルキル部分は、ヒドロキシ基で置換されていてもよい；または
RaおよびRbは、それらが結合している窒素原子と一緒になって、モルホリン、ピペリジンおよびピペラジンから選択される環を形成しており、各環は、所望により、アルコキシカルボニル、アルキル、ハロ、オキソ、および所望によりハロで置換されていてもよいフェニルから選択される1または2つの基で置換されていてもよい；ならびに
RcおよびRdのうちの1つは、水素およびアルキルから選択され、もう一方は水素、アルコキシカルボニルおよびアルキルから選択されるか；または
RcおよびRdは、それらが結合している窒素原子と一緒になって、オキサゾリジノン環を形成する]
の化合物またはその医薬的に許容される塩である、組み合わせ。
【請求項２】
式(I)の化合物が、
【化３】
2016527232.tif 000003
【化４】
2016527232.tif 000004
【化５】
2016527232.tif 000005
【化６】
2016527232.tif 000006
【化７】
2016527232.tif 000007
【化８】
2016527232.tif 000008
【化９】
2016527232.tif 000009
【化１０】
2016527232.tif 000010
【化１１】
2016527232.tif 000011
あるいはその医薬的に許容される塩から選択される、請求項1に記載の組合せ。
【請求項３】
請求項1または2に記載の組み合わせ、および１以上の医薬的に許容される担体を含む、組成物。
【請求項４】
抗HCV活性を有する1または2つの別の化合物をさらに含む、請求項3に記載の組成物。
【請求項５】
別の化合物のうちの少なくとも1つが、インターフェロンまたはリバビリンである、請求項4に記載の組成物。
【請求項６】
インターフェロンが、インターフェロンα2B、ペグ化インターフェロンα、ペグ化インターフェロンλ、コンセンサスインターフェロン、インターフェロンα2Aまたはリンパ芽球様インターフェロンτから選択される、請求項5に記載の組成物。
【請求項７】
少なくとも１つの別の化合物が、HCV感染症の治療のために、HCVプロテアーゼ、HCVポリメラーゼ、HCVヘリカーゼ、HCV NS4Bタンパク質、HCVエントリー、HCVアセンブリ、HCVイグレス、HCV NS5Aタンパク質またはIMPDHから選択される標的の機能を阻害するのに有効である、請求項4に記載の組成物。
【請求項８】
患者におけるHCV感染症を治療するための請求項3〜7のいずれかに記載の組成物。
【請求項９】
抗HCV活性を有する1または2つの別の化合物を、請求項1または2に記載の組み合わせより前、後または同時に投与するように用いられることを特徴とする、請求項4〜8のいずれかに記載の組成物。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
（ａ）固体形態のＮ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドを、融解を引き起こすのに十分な温度で加熱すること；ならびに
（ｂ）融解形態のＮ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドを冷却し、よってアモルファスＮ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドを生成させること
を含む、アモルファスＮ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドを生成するための方法。
【請求項２】
前記加熱は少なくとも約１９６℃の温度で実施される、および／または、前記加熱は最大約２３０℃までの温度で実施される、請求項１に記載の方法。
【請求項３】
前記固体形態は結晶形または多形を含む、請求項１に記載の方法。
【請求項４】
前記多形は一水和物である、請求項３に記載の方法。
【請求項５】
前記多形は、約７．６３、１０．０４、１１．４７、１４．７３、１５．２１、１５．４７、１６．０６、１６．６７、１６．９８、１８．９３、１９．９６、２０．５２、２０．７９、２２．８０、２５．１６、２６．５３、２７．２０、２７．６０、２９．６０、３０．２３、３０．４９、３０．６８、３１．１４、３３．６５、３４．３３、３５．２９、３５．５６、３６．３０、３７．３６、３８．４２、３８．６６°の反射角２θで特性ピークを有するＸ線粉末回折パターンを示す、ＳＴ−２４６の多形形態Ｉである、または
前記多形は、約６．７１、９．０５、１２．４９、１３．０３、１３．７９、１４．８７、１５．７２、１６．２６、１６．７４、１８．１０、１８．４３、１９．９４、２１．０４、２１．５１、２３．１５、２３．５１、２５．３２、２６．２４、２６．８７、２７．３２、２７．７２、２８．５５、２９．０８、２９．５０、２９．８４、３１．２７、３３．４８、３５．３６、３９．５６°の反射角２θで特性ピークを有するＸ線粉末回折パターンを示す、ＳＴ−２４６の多形形態ＩＩＩである、
請求項４に記載の方法。
【請求項６】
（ａ）Ｎ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミド、少なくとも１つのポリマおよび溶媒を含む液体溶液を調製すること；ならびに
（ｂ）前記液体溶液を噴霧乾燥し、よって前記アモルファス固体分散物を生成させること
を含む、Ｎ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドのアモルファス固体分散物を生成するための方法。
【請求項７】
前記液体溶液は、テトラヒドロフラン、アルコール、酢酸エチル、メチルエーテルケトン、ジクロロメタン、水およびそれらの混合物からなる群より選択される少なくとも１つの溶媒を含み、例えば、前記溶媒は、テトラヒドロフランまたはメタノールまたはアセトンである、請求項６に記載の方法。
【請求項８】
前記ポリマは、メタクリル酸コポリマ（ｃｏｐｌｏｌｙｍｅｒ）、ヒドロキシプロピルメチルセルロース（ＨＰＭＣ）、ＨＰＭＣＰ−Ｈ５５、ＣＡＰ、ＰＶＡＰ、ＨＰＭＣＡＳ−Ｌ、ＨＰＭＣＡＳ−Ｍ、ＨＰＭＣＡＳ−Ｈ、ヒプロメロース、ポビドン、コポビドン、ＨＰＣ、ポロクサマー、ＰＶＰ−ＶＡ、ＰＶＰ（中性）、クルーセル、メトセル、エトセル、プラスドン、およびそれらの混合物からなる群より選択され、例えば、前記ポリマは（ヒドロキシプロピル）メチルセルロースアセテートスクシネートまたはＨＰＭＣＡＳである、請求項６に記載の方法。
【請求項９】
（ａ）固体形態のＮ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドを、少なくとも１つのポリマの存在下、融解を引き起こし、液体溶液を生成させるのに十分な温度で加熱すること；ならびに
（ｂ）工程（ａ）の溶液を冷却し、よって、前記アモルファス分散物を生成させること
を含む、Ｎ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドのアモルファス固体分散物を生成するための方法。
【請求項１０】
前記ポリマは、ポリエチレングリコール、ゲルシレ、モノおよびジステアリン酸グリセロール、メタクリル酸コポリマ（ｃｏｐｌｏｌｙｍｅｒ）、ヒドロキシプロピルメチルセルロース（ＨＰＭＣ）、ＨＰＭＣＰ−Ｈ５５、ＣＡＰ、ＰＶＡＰ、ＨＰＭＣＡＳ−Ｌ、ＨＰＭＣＡＳ−Ｍ、ＨＰＭＣＡＳ−Ｈ、ヒプロメロース、ポビドン、コポビドン、ＨＰＣ、ポロクサマー、ＰＶＰ−ＶＡ、ＰＶＰ（中性）、クルーセル、メトセル、エトセル、プラスドン、およびそれらの混合物からなる群より選択され、例えば、前記ポリマはポリエチレングリコールである、請求項９に記載の方法。
【請求項１１】
前記液体溶液は、界面活性剤、例えば、ポリソルベート、クレモフォールおよびコリフォールからなる群より選択される界面活性剤を含む、請求項６または９に記載の方法。
【請求項１２】
前記溶液中のＮ−［（３ａＲ，４Ｒ，４ａＲ，５ａＳ，６Ｓ，６ａＳ）−３，３ａ，４，４ａ，５，５ａ，６，６ａ−オクタヒドロ−１，３−ジオキソ−４，６−エテノシクロプロプ［ｆ］イソインドール−２（１Ｈ）−イル］−４−（トリフルオロメチル）−ベンズアミドの前記ポリマに対する重量比は、約１：５０〜約１：１、例えば約１：９または約１：２である、請求項６または１０に記載の方法。
【請求項１３】
前記冷却工程は、約０℃より低い温度で、例えば約−５０℃より低い温度で実施される、請求項１または９に記載の方法。
【請求項１４】
前記冷却工程は液体窒素中で実施される、請求項１または９に記載の方法。
【請求項１５】
前記固体形態は結晶形または多形、例えば一水和物を含む、請求項９に記載の方法。